(57)【要約】【課題】性能を長期間維持できる二次電池１を提供する。【解決手段】二次電池１は、ケース２の内側に、表面が所定面と略平行になるように配置された複数の電極板１０と、電極板１０それぞれの一端に設けられた導電性のタブ１１と、ケース２に支持され、複数のタブ１１の少なくとも一つと電気的に接続される支持面１３を有する電極端子１２とを備えている。電極端子１２の支持面１３は、ケース２の内側において、所定面と略平行に配置される。【選択図】図２
2010192323.tif 000002
【特許請求の範囲】
【請求項１】
ケースの内側に、表面が所定面と略平行になるように配置された複数の電極板と、
前記電極板それぞれの一端に設けられた導電性のタブと、
前記ケースに支持され、複数の前記タブの少なくとも一つと電気的に接続される支持面を有する電極端子と、を備え、
前記支持面は、前記ケースの内側において、前記所定面と略平行に配置される二次電池。
【請求項２】
前記タブは、少なくとも一部が前記一端から前記支持面に近付く前記所定面の第１方向に延びるように、且つ、９０度以上曲がらないように配置される請求項１記載の二次電池。
【請求項３】
複数の前記タブの先端は、前記支持面と対向する位置において一体であり、
前記一体のタブの少なくとも一部と前記支持面とが接続される請求項１又は２記載の二次電池。
【請求項４】
超音波溶接によって、前記タブと前記支持面とが接続される請求項１〜３のいずれか一項記載の二次電池。
【請求項５】
前記支持面は、第１方向を向く第１支持面と、前記第１方向と逆の第２方向を向く第２支持面とを含み、
前記タブは、前記第１支持面と前記第２支持面とのそれぞれに接続される請求項１〜４のいずれか一項記載の二次電池。
【請求項６】
前記支持面は、前記電極端子に形成された凹部の内側に配置される第１支持面と、前記凹部の内側において前記第１支持面と対向する第２支持面とを含み、
前記タブは、前記第１支持面と前記第２支持面とのそれぞれに接続される請求項１〜４のいずれか一項記載の二次電池。
【請求項７】
前記電極端子は、前記第１支持面を有する第１部分と、前記第２支持面を有する第２部分とを有し、前記タブは、前記第１部分と前記第２部分とで挟まれて、前記第１支持面及び前記第２支持面に接続される請求項６記載の二次電池。
【請求項８】
前記電極端子は、
前記ケースに支持された第１電極端子と、
前記第１電極端子とは別の部材であり、少なくとも一部が接触するように前記第１電極端子に支持される第２電極端子とを含み、
前記支持面は、前記第２電極端子に配置される請求項１〜７のいずれか一項記載の二次電池。
【請求項９】
ケースの内側に、表面が所定面と略平行になるように複数の電極板を配置する動作と、
支持面を有する電極端子を、前記支持面が前記ケースの内側で前記所定面と略平行に配置されるように、前記ケースで前記電極端子を支持する動作と、
前記電極板それぞれの一端に設けられた導電性のタブが９０度以上曲がらないように、複数の前記タブの先端を一体にして、前記一体のタブの少なくとも一部と前記支持面とを接続する動作と、を含む二次電池の製造方法。
【請求項１０】
前記タブと前記支持面とを、超音波溶接によって接続する請求項９記載の二次電池の製造方法。
【請求項１１】
前記電極端子は、前記ケースの内側に凹部を有し、
前記支持面は、前記凹部の内側に配置される第１支持面と、前記凹部の内側において前記第１支持面と対向する第２支持面とを含み、
前記タブを、前記第１支持面と前記第２支持面とのそれぞれに接続する請求項９又は１０記載の二次電池の製造方法。
【請求項１２】
前記第１支持面と前記第２支持面との間に前記タブの先端を配置する動作と、
前記第１支持面を有する前記電極端子の第１部分と、前記第２支持面を有する前記電極端子の第２部分との少なくとも一方に力を加えて、前記第１支持面と前記第２支持面とで前記タブを挟む動作と、を含む請求項１１記載の二次電池の製造方法。
【発明の詳細な説明】
【技術分野】
【０００１】
本発明は、二次電池、及び二次電池の製造方法に関する。
【背景技術】
【０００２】
二次電池は、ケースの内側に配置された複数の電極板と、その電極板の一端から延びるタブ（リード）に接続される電極端子とを有し、その電極端子から電力を出力する。下記特許文献には、二次電池に関する技術の一例が開示されている。
【先行技術文献】
【特許文献】
【０００３】
【特許文献１】特開２００５−００５２１５号公報
【発明の概要】
【発明が解決しようとする課題】
【０００４】
二次電池において、タブの劣化（例えば、振動などによる繰返し応力による破断）が進行し易いと、二次電池の性能を長期間維持することが困難となる可能性がある。例えば、タブが破断し易い場合、電力を長期間良好に出力することが困難となる。
【０００５】
本発明は、性能を長期間維持できる二次電池、及び二次電池の製造方法を提供することを目的とする。
【課題を解決するための手段】
【０００６】
本発明の第１の態様に従えば、ケースの内側に、表面が所定面と略平行になるように配置された複数の電極板と、電極板それぞれの一端に設けられた導電性のタブと、ケースに支持され、複数のタブの少なくとも一つと電気的に接続される支持面を有する電極端子と、を備え、その電極端子の支持面は、ケースの内側において、所定面と略平行に配置される二次電池が提供される。
【０００７】
本発明の第１の態様によれば、ケースの内側に、表面が所定面と略平行になるように複数の電極板を配置する場合において、それら電極板それぞれの一端に設けられた導電性のタブに接続される電極端子の支持面を、所定面と略平行に配置するようにしたので、その支持面に接続されるタブに大きな負荷がかかることを抑制することができる。そのため、タブの劣化の進行を抑制することができる。したがって、二次電池の性能を長期間維持することができる。
【０００８】
本発明の第１の態様において、タブは、少なくとも一部が電極板の一端から支持面に近付く所定面の第１方向に延びるように、且つ、９０度以上曲がらないように配置されることが望ましい。これにより、タブが破断したり、損傷したりすることを抑制することができる。そのため、タブの劣化の進行を抑制することができる。したがって、二次電池の性能を長期間維持することができる。
【０００９】
本発明の第１の態様において、複数のタブの先端は、電極端子の支持面と対向する位置において一体であり、一体のタブの少なくとも一部と電極端子の支持面とが接続される構成を採用できる。タブの先端においてタブを一体化することによって、その先端の強度を向上することができる。そして、その強度が向上されたタブの先端と支持面とを接続することによって、その接続部分の劣化の進行を抑制することができる。したがって、二次電池の性能を長期間維持することができる。
【００１０】
本発明の第１の態様において、超音波溶接によって、タブと支持面とが接続される構成を採用できる。超音波溶接を用いることによって、溶接された部分の強度を向上することができる。そのため、その溶接部分の劣化の進行を抑制することができる。したがって、二次電池の性能を長期間維持することができる。
【００１１】
本発明の第１の態様において、電極端子の支持面は、第１方向を向く第１支持面と、第１方向と逆の第２方向を向く第２支持面とを含み、タブは、第１支持面と第２支持面とのそれぞれに接続される構成を採用できる。こうすることによっても、第１，第２支持面に接続されるタブに大きな負荷がかかることを抑制することができる。そのため、タブの劣化の進行を抑制することができる。したがって、二次電池の性能を長期間維持することができる。
【００１２】
本発明の第１の態様において、電極端子の支持面は、電極端子に形成された凹部の内側に配置される第１支持面と、その凹部の内側において第１支持面と対向する第２支持面とを含み、タブは、第１支持面と第２支持面とのそれぞれに接続される構成を採用できる。第１支持面及び第２支持面の両方にタブを接続することによって、その接続部分の安定性が増し、劣化の進行を抑制することができる。したがって、二次電池の性能を長期間維持することができる。
【００１３】
本発明の第１の態様において、電極端子は、第１支持面を有する第１部分と、第２支持面を有する第２部分とを有し、タブは、第１部分と第２部分とで挟まれて、第１支持面及び第２支持面に接続される構成を採用することができる。電極端子の第１部分と第２部分とでタブを挟むように保持することによって、その接続部分の安定性が増し、劣化の進行を抑制することができる。したがって、二次電池の性能を長期間維持することができる。
【００１４】
本発明の第１の態様において、電極端子は、ケースに支持された第１電極端子と、第１電極端子とは別の部材であり、少なくとも一部が接触するように第１電極端子に支持される第２電極端子とを含み、支持面は、前記第２電極端子に配置される構成を採用することができる。電極端子を複数の部材によって構成し、複数の電極端子のうち、第１電極端子をケースで支持し、第１電極端子とは別の第２電極端子を第１電極端子に接続し、その第２電極端子に配置された支持面にタブを接続することによっても、支持面に接続されるタブに大きな負荷がかかることを抑制することができる。そのため、タブの劣化の進行を抑制することができる。したがって、二次電池の性能を長期間維持することができる。
【００１５】
本発明の第２の態様に従えば、ケースの内側に、表面が所定面と略平行になるように複数の電極板を配置する動作と、支持面を有する電極端子を、その支持面がケースの内側で所定面と略平行に配置されるように、ケースで電極端子を支持する動作と、電極板それぞれの一端に設けられた導電性のタブが９０度以上曲がらないように、それら複数のタブの先端を一体にして、その一体のタブの少なくとも一部と支持面とを接続する動作と、を含む二次電池の製造方法が提供される。
【００１６】
本発明の第２の態様によれば、ケースの内側に、表面が所定面と略平行になるように複数の電極板を配置して、それら電極板それぞれの一端に設けられた導電性のタブに接続される電極端子の支持面を、所定面と略平行に配置し、その支持面とタブの先端とを接続することによって、その支持面に接続されるタブに大きな負荷がかかることを抑制することができる。また、タブを９０度以上曲がらないように配置することにより、タブに大きな負荷がかかることをより一層抑制することができる。また、タブの先端を一体化し、その一体化されたタブの先端と支持面とを接続することによって、その接続部分の劣化の進行を抑制することができる。したがって、二次電池の性能を長期間維持することができる。
【００１７】
本発明の第２の態様において、タブと電極端子の支持面とを、超音波溶接によって接続する構成を採用できる。超音波溶接を用いることによって、溶接された部分の強度を向上することができる。そのため、その溶接部分の劣化の進行を抑制することができる。したがって、二次電池の性能を長期間維持することができる。
【００１８】
本発明の第２の態様において、電極端子は、ケースの内側に凹部を有し、電極端子の支持面は、凹部の内側に配置される第１支持面と、凹部の内側において第１支持面と対向する第２支持面とを含み、タブを、第１支持面と第２支持面とのそれぞれに接続する構成を採用できる。第１支持面及び第２支持面の両方にタブを接続することによって、その接続部分の安定性が増し、劣化の進行を抑制することができる。したがって、二次電池の性能を長期間維持することができる。
【００１９】
本発明の第２の態様において、第１支持面と第２支持面との間にタブの先端を配置する動作と、第１支持面を有する電極端子の第１部分と、第２支持面を有する電極端子の第２部分との少なくとも一方に力を加えて、第１支持面と第２支持面とでタブを挟む動作と、を含む構成を採用できる。電極端子の第１部分と第２部分とでタブを挟むように保持することによって、その接続部分の安定性が増し、劣化の進行を抑制することができる。したがって、二次電池の性能を長期間維持することができる。
【発明の効果】
【００２０】
本発明によれば、二次電池の性能を長期間維持できる。
【図面の簡単な説明】
【００２１】
【図１】第１実施形態に係る二次電池の一例を示す斜視図である。
【図２】第１実施形態に係る二次電池の一例を示す断面図である。
【図３】第１実施形態に係る二次電池の製造方法の一例を示す模式図である。
【図４】第２実施形態に係る二次電池の一例を示す図である。
【図５】第３実施形態に係る二次電池の製造方法の一例を示す模式図である。
【図６】第４実施形態に係る二次電池の一例を示す図である。
【図７】第４実施形態に係る第２電極端子の一例を示す斜視図である。
【図８】第４実施形態に係る第２電極端子の一例を示す斜視図である。
【発明を実施するための形態】
【００２２】
以下、本発明の実施形態について図面を参照しながら説明する。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（鉛直方向、上下方向）をＺ軸方向とする。また、Ｘ軸、Ｙ軸及びＺ軸まわりの回転（傾斜）方向をそれぞれ、θＸ、θＹ及びθＺ方向とする。
【００２３】
＜第１実施形態＞
第１実施形態について説明する。図１は、第１実施形態に係る二次電池１の外観を示す斜視図であり、一部を破断した図である。図２は、二次電池１の断面図である。
【００２４】
図１及び図２において、二次電池１は、ケース２と、ケース２の内側に配置された複数の正極板３と、ケース２の内側に配置された複数の負極板４と、正極板３それぞれの上端に設けられた導電性の正極用タブ５と、負極板４それぞれの上端に設けられた導電性の負極用タブ６と、ケース２に支持された正極端子７と、ケース２に支持された負極端子８と、正極板３と負極板４との間に配置されるセパレータ９とを備えている。
【００２５】
正極板３及び負極板４は、プレート状の部材である。正極板３は、その正極板３の表面がＹＺ平面と略平行になるように、ケース２の内側に配置されている。負極板４は、その負極板４の表面がＹＺ平面と略平行になるように、ケース２の内側に配置されている。正極板３は、Ｘ軸方向に複数配置されている。負極板４は、Ｘ軸方向に複数配置されている。正極板３と負極板４とは、Ｘ軸方向に交互に配置されている。
【００２６】
正極用タブ５は、導電性である。正極用タブ５は、正極板３それぞれの上端に設けられている。正極用タブ５の幅（Ｙ軸方向のサイズ）は、正極板３の幅（Ｙ軸方向のサイズ）より小さい。正極用タブ５は、正極板３の上端の、＋Ｙ方向の端に接続されている。
【００２７】
負極用タブ６は、導電性である。負極用タブ６は、負極板４それぞれの上端に設けられている。負極用タブ６の幅（Ｙ軸方向のサイズ）は、負極板４の幅（Ｙ軸方向のサイズ）より小さい。負極用タブ６は、負極板４の上端の、−Ｙ方向の端に接続されている。
【００２８】
ケース２は、上板２Ｔを有する。正極端子７及び負極端子８は、上板２Ｔに支持されている。正極端子７の上端は、ケース２の外側に配置されている。正極端子７の下端は、ケース２の内側に配置されている。負極端子８の上端は、ケース２の外側に配置されている。負極端子８の下端は、ケース２の内側に配置されている。正極端子７と負極端子８とは、Ｙ軸方向に配置されている。正極端子７は、負極端子８の＋Ｙ方向に配置されている。
【００２９】
セパレータ９は、合成樹脂製である。本実施形態において、セパレータ９は、負極板４を囲むように配置されている。
【００３０】
以下の説明において、正極板３及び負極板４を総称して適宜、電極板１０、と称し、正極用タブ５及び負極用タブ６を総称して適宜、タブ１１、と称し、正極端子７及び負極端子８を総称して適宜、電極端子１２、と称する。
【００３１】
電極端子１２は、複数のタブ１１の少なくとも一つと電気的に接続される支持面１３を有する。支持面１３は、電極端子１２の下端を含む下部分に配置されている。支持面１３を含む電極端子１２の下部分は、ケース２の内側に配置されている。支持面１３は、ケース２の内側において、ＹＺ平面と略平行に配置されている。
【００３２】
図２に示すように、タブ１１は、電極板１０の上端から、電極端子１２の支持面１３に近付くように延びている。タブ１１の少なくとも一部は、Ｚ軸方向に延びるように配置されている。タブ１１は、電極板１０の上端と、電極端子１２の支持面１３とを結ぶように配置される。タブ１１は、電極板１０の上端と、電極端子１２の支持面１３との間において、９０度以上曲がらないように配置される。すなわち、本実施形態において、タブ１１の曲げ角度θは、９０度未満である。本実施形態において、曲げ角度θは、電極板１０の表面と平行なＹＺ平面と、タブ１１の表面とがなす角度である。
【００３３】
複数のタブ１１の上端（先端）は、電極端子１２の支持面１３と対向する位置において一体である。図２に示すように、支持面１３は、−Ｘ方向を向いている。複数のタブ１１の上端は、支持面１３の−Ｘ側で一体化されている。その一体化されたタブ１１の上端の一部と電極端子１２の支持面１３とが接続されている。
【００３４】
本実施形態においては、タブ１１の上端と電極端子１２の支持面１３とは、超音波溶接によって接続されている。
【００３５】
なお、図２には、負極板４に設けられた負極用タブ６及びその負極用タブ６に接続される負極端子８が示されているが、正極板３に設けられた正極用タブ５及びその正極用タブ５に接続される正極端子７も同様の構造である。
【００３６】
次に、図３に示す模式図を参照して、本実施形態に係る二次電池１の製造方法の一例について説明する。
【００３７】
ケース２の内側に、表面がＹＺ面と略平行になるように、複数の電極板１０が配置される。また、支持面１３がケース２の内側でＹＺ面と略平行に配置されるように、ケース２の上板２Ｔに電極端子１２が支持される。
【００３８】
そして、複数のタブ１１の上端が一体化され、その一体化されたタブ１１の少なくとも一部と電極端子１２の支持面１３とが接続される。図３の模式図に示すように、本実施形態においては、超音波溶接機１４を用いて、一体化されたタブ１１の上端と、電極端子１２の支持面１３とが超音波溶接により接続される。また、タブ１１と支持面１３とを接続する際、タブ１１が９０度以上曲がらないように、タブ１１と支持面１３とが接続される。以上により、二次電池１の製造工程のうち、タブ１１と支持面１３とを接続する工程が終了する。
【００３９】
なお、電極端子１２の支持面１３とタブ１１とを接続した後、その電極端子１２をケース２の上板２Ｔで支持してもよい。製造の手順の順番は、任意である。
【００４０】
以上説明したように、本実施形態によれば、ケース２の内側に、表面がＹＺ平面と略平行になるように複数の電極板１０を配置する場合において、それら電極板１０それぞれの上端に設けられた導電性のタブ１１に接続される電極端子１２の支持面１３を、ＹＺ平面と略平行に配置するようにしたので、その支持面１３に接続されるタブ１１に大きな負荷がかかることを抑制することができる。そのため、タブ１１の劣化の進行を抑制することができる。したがって、二次電池１の性能を長期間維持することができる。
【００４１】
また、本実施形態においては、タブ１１は、少なくとも一部が電極板１０の上端から支持面１３に近付くＺ軸方向（＋Ｚ方向）に延びるように、且つ、９０度以上曲がらないように配置されているので、タブ１１が破断したり、損傷したりすることを抑制ができる。そのため、タブ１１の劣化の進行を抑制することができる。
【００４２】
また、複数のタブ１１の先端は、電極端子１２の支持面１３と対向する位置において一体であり、一体のタブ１１の少なくとも一部と電極端子１２の支持面１３とが接続されるので、その先端の強度を向上することができる。そして、その強度が向上されたタブ１１の先端と支持面１３とを接続することによって、その接続部分の劣化の進行を抑制することができる。
【００４３】
また、超音波溶接によって、タブ１１と支持面１３とが接続されるので、溶接された部分の強度を向上することができる。そのため、その溶接部分の劣化の進行を抑制することができる。
【００４４】
＜第２実施形態＞
次に、第２実施形態について説明する。以下の説明において、上述の実施形態と同一又は同等の構成部分については同一の符号を付し、その説明を簡略若しくは省略する。
【００４５】
図４は、第２実施形態に係る二次電池１Ｂの一例を示す図である。図４に示すように、本実施形態に係る二次電池１Ｂは、電極端子１２Ｂを有する。電極端子１２Ｂは、支持面１３を有する。本実施形態において、支持面１３は、−Ｘ方向を向く第１支持面１３Ａと、−Ｘ方向と逆の＋Ｘ方向を向く第２支持面１３Ｂとを含む。第１支持面１３Ａ及び第２支持面１３Ｂのそれぞれは、ＹＺ平面と略平行である。タブ１１は、第１支持面１３Ａと第２支持面１３Ｂとのそれぞれに接続される。
【００４６】
本実施形態においても、超音波溶接機１４を用いて、一体化されたタブ１１の上端と、電極端子１２Ｂの第１，第２支持面１３Ａ，１３Ｂとが超音波溶接により接続される。
【００４７】
以上説明したように、本実施形態においても、第１，第２支持面１３Ａ，１３Ｂに接続されるタブ１１に大きな負荷がかかることを抑制することができる。そのため、タブ１１の劣化の進行を抑制することができる。したがって、二次電池１Ｂの性能を長期間維持することができる。
【００４８】
＜第３実施形態＞
次に、第３実施形態について説明する。以下の説明において、上述の実施形態と同一又は同等の構成部分については同一の符号を付し、その説明を簡略若しくは省略する。
【００４９】
図５は、第３実施形態に係る二次電池１Ｃの一例を示す図である。図５（Ａ）に示すように、本実施形態に係る二次電池１Ｃは、凹部１５を有する電極端子１２Ｃを有する。電極端子１２Ｃは、凹部１５の一方側（−Ｘ側）の第１部分１６と、他方側（＋Ｘ側）の第２部分１７と有する。
【００５０】
電極端子１２Ｃは、凹部１５の内側に、タブ１１に接続される支持面１３を有する。本実施形態において、支持面１３は、電極端子１２Ｃに形成された凹部１５の内側に配置される第１支持面１３Ｃと、凹部１５の内側において第１支持面１３Ｃと対向する第２支持面１３Ｄとを含む。第１支持面１３Ｃ及び第２支持面１３Ｄのそれぞれは、ＹＺ平面と略平行である。第１支持面１３Ｃは、第１部分１６に配置されている。第２支持面１３Ｄは、第２部分１７に配置されている。第１支持面１３Ｃは、−Ｘ方向を向いている。第２支持面１３Ｄは、＋Ｘ方向を向いている。第１部分１６及び第２部分１７は、変形可能である。
【００５１】
次に、本実施形態に係る二次電池１Ｃの製造方法の一例について説明する。図５（Ａ）に示すように、第１支持面１３Ｃと第２支持面１３Ｄとの間にタブ１１の上端が配置される。第１支持面１３Ｃと第２支持面１３Ｄとの間に配置されるタブ１１の上端は、一体化されている。また、タブ１１が９０度以上曲がらないように、タブ１１の先端が第１支持面１３Ｃと第２支持面１３Ｄとの間に配置される。
【００５２】
次に、図５（Ｂ）に示すように、第１部分１６と第２部分１７との少なくとも一方に力が加えられ、第１部分１６及び第２部分１７の少なくとも一方が変形して、第１支持面１３Ｃと第２支持面１３Ｃとでタブ１１の上端が挟まれる。金属製の第１部分１６及び第２部分１７は、力が加えられることによって、塑性変形する。したがって、第１支持面１３Ｃと第２支持面１３Ｄとの間にタブ１１の上端を配置した状態で、第１部分１６及び第２部分１７の少なくとも一方が塑性変形するように力が加えられることによって、第１支持面１３Ｃと第２支持面１３Ｄとは、タブ１１の先端を挟むようにして保持することができる。これにより、タブ１１の先端が、第１支持面１３Ｃ及び第２支持面１３Ｄのそれぞれに接続される。
【００５３】
また、必要に応じて、タブ１１の先端が第１部分１６と第２部分１７とに挟まれた後、第１支持面１３Ｃ及び第２支持面１３Ｄとタブ１１の先端とが超音波溶接される。
【００５４】
以上説明したように、本実施形態よれば、タブ１１の上端を、第１支持面１３Ｃと第２支持面１３Ｄとのそれぞれに接続するようにしたので、タブ１１と第１，第２支持面１３Ｃ，１３Ｄとの接続部分の安定性が増し、その接続部分の劣化の進行が抑制される。したがって、二次電池１の性能を長期間維持することができる。
【００５５】
また、電極端子１２Ｃの第１部分１６と第２部分１７とでタブ１１を挟むように保持することによって、より一層、タブ１１と第１，第２支持面１３Ｃ，１３Ｄとの接続部分の安定性が増し、その接続部分の劣化の進行を抑制することができる。
【００５６】
＜第４実施形態＞
次に、第４実施形態について説明する。以下の説明において、上述の実施形態と同一又は同等の構成部分については同一の符号を付し、その説明を簡略若しくは省略する。
【００５７】
図６は、第４実施形態に係る電極端子１２Ｄを備えた二次電池１Ｄの一例を示す図である。図６（Ａ）は、電極端子１２Ｄの近傍を−Ｘ側から見た図、図６（Ｂ）は、電極端子１２Ｄの近傍を−Ｙ側から見た図である。
【００５８】
図６に示すように、本実施形態において、電極端子１２Ｄは、ケース２（上板２Ｔ）に支持される第１電極端子１２１と、第１電極端子１２１とは別の部材であり、少なくとも一部が第１電極端子１２１と接触するように第１電極端子１２１に支持される第２電極端子１２２とを含む。
【００５９】
本実施形態において、第１電極端子１２１は、ロッド状である。第２電極端子１２２は、第１電極端子１２１を配置可能な孔１２２Ｈを有する本体部１２２Ａと、本体部１２２Ａに接続されたプレート部１２２Ｂとを有する。
【００６０】
本実施形態において、第１電極端子１２１と第２電極端子１２２とは、リベット等の固定部材１３０によって接続される。すなわち、ロッド状の部材である第１電極端子１２１が第２電極端子１２２の孔１２２Ｈに配置された状態で、第１電極端子１２１の下端と第２電極端子１２２の下端とが固定部材１３０によって固定されることによって、第１電極端子１２１の外面と第２電極端子１２２の孔１２２Ｈの内面とが接触するように接続される。これにより、第１電極端子１２１と第２電極端子１２２とは、電気的に接続される。
【００６１】
本実施形態において、タブ１１に接続される支持面１３は、第２電極端子１２２に配置されている。本実施形態において、支持面１３は、第２電極端子１２２のプレート部１２２Ｂに配置される。
【００６２】
図７は、第２電極端子１２２を示す斜視図である。図７において、第２電極端子１２２の支持面１３は、−Ｘ方向を向く第１支持面１３Ｅと、−Ｘ方向と逆の＋Ｘ方向を向く第２支持面１３Ｆとを含む。第１支持面１３Ｅ及び第２支持面１３Ｆのそれぞれは、ＹＺ平面と略平行である。タブ１１は、第１支持面１３Ｅと第２支持面１３Ｆとのそれぞれに接続される。
【００６３】
本実施形態においても、超音波溶接機１４を用いて、一体化されたタブ１１の上端と、第２電極端子１２２の第１，第２支持面１３Ｅ，１３Ｆとが超音波溶接により接続される。
【００６４】
以上説明したように、本実施形態においても、第１，第２支持面１３Ｅ，１３Ｆに接続されるタブ１１に大きな負荷がかかることを抑制することができる。そのため、タブ１１の劣化の進行を抑制することができる。したがって、二次電池１Ｄの性能を長期間維持することができる。
【００６５】
なお、第２電極端子１２２が、図８に示すような形状でもよい。また、第２電極端子１２２の支持面１３が、１つであってもよい。
【符号の説明】
【００６６】
１…二次電池、２…ケース、３…正極板、４…負極板、５…正極用タブ、６…負極用タブ、７…正極端子、８…負極端子、９…セパレータ、１０…電極板、１１…タブ、１２…電極端子、１３…支持面、１３Ａ…第１支持面、１３Ｂ…第２支持面、１３Ｃ…第１支持面、１３Ｄ…第２支持面、１５…凹部、１６…第１部分、１７…第２部分、１２１…第１電極端子、１２２…第２電極端子
【図１】
2010192323.tif 000003
【図２】
2010192323.tif 000004
【図３】
2010192323.tif 000005
【図４】
2010192323.tif 000006
【図５】
2010192323.tif 000007
【図６】
2010192323.tif 000008
【図７】
2010192323.tif 000009
【図８】
2010192323.tif 000010